(57)【要約】  広告収入を通じて補助金が支払われる消費者補償スキームに対するアプリケーションによって報酬プログラムに資金提供及び資金提供する異種の資金源の早期の採用及び保持を促進するためのシステム及び方法が提供される。広告収入又は受け取られた資金を管理するコンポーネントは、登録された広告主もしくは資金源について、広告主の領域からリベート・プログラム又は報酬プログラムに収入の一部を割り当てる。リベート又は報酬資金は、特定の期間の間排他性に関して登録された広告主に提供され、その後、資金は共通にアクセス可能なアカウントに転送される。与えられた補償資金及びその時間感度の補助金が支払われる性質は、広告主の登録及び保持を促進し、消費者が積極的に補償されることを保証する。ある態様において、補助金が支払われるリベート・プログラムは、サービス・プラットフォームに従事する際の消費者の意図と引き換えにオンライン又はオフラインで消費者に直接的に補償するために利用することができる。
2011519093.tif 000002
【特許請求の範囲】
【請求項１】
広告を介して資金提供される消費者補償スキームにおいて広告主の早期の採用及び保持を促進するシステム（１００）であって、
広告主の組から生じた広告収入を収集するコンポーネント（１１５）と、
前記広告主の組から広告主の部分集合を登録するコンポーネント（２１５）と、
リベートを与えるために前記登録された広告主の部分集合に対して前記広告収入の一部を割り当てるコンポーネント（１１８）と、
共通の補償アカウント又は選択された広告主の補償アカウントのうち少なくとも１つにおいて外部資金を投入するコンポーネント（１１８、３０４）と
を具備するシステム。
【請求項２】
広告収入の一部を割り当てる前記コンポーネントは、登録された広告主の補償アカウントに資金を割り当てる請求項１に記載のシステム。
【請求項３】
広告収入の一部を割り当てる前記コンポーネントは、所定の時間において、前記登録された広告主の部分集合にアクセス可能な共通の補償アカウントに、未使用の割り当てられた資金を転送する請求項１に記載のシステム。
【請求項４】
登録された広告主に関する機密情報を保持する記憶コンポーネントをさらに具備し、前記登録された広告主に関する前記機密情報は、プライバシー・コンポーネントにより決定されたプライバシー・プロフィールに適合する請求項１に記載のシステム。
【請求項５】
補償を与える補償コンポーネントをさらに具備し、前記補償コンポーネントは、
与えられた補償を勘定するコンポーネントと、
不正な補償を軽減する不正禁止コンポーネントと、
補償記録を保持するコンポーネントと
を含む請求項１に記載のシステム。
【請求項６】
代理業者及び代理業者によって動作される装置の組を登録するコンポーネントと、
前記登録された代理業者に関連付けられる、オフラインの領域又はオンラインの領域のうちの１つにおいて少なくとも受信される情報から意図を抽出するコンポーネントと、
前記抽出された代理業者の意図と引き換えに、広告支出を介して前記代理業者に補償するコンポーネントと
をさらに具備する請求項５に記載のシステム。
【請求項７】
広告管理コンポーネントをさらに具備し、前記広告管理コンポーネントは、
広告コンテンツを保持する広告コンテンツ記憶部と、
前記登録された代理業者に関する格納された前記機密情報に従って広告の内容を最適化するコンポーネントと、
前記登録された装置の組における少なくとも１つの装置に従って広告のフォーマットを最適化するコンポーネントと、
最適化された広告に対する登録された代理業者の応答を分析するコンポーネントと
を含む請求項６に記載のシステム。
【請求項８】
広告収入を通じて補助金が支払われる消費者補償スキームにおいて広告主の早期の採用及び保持を促進する方法（６００）であって、
広告主の組からの広告を表示することに対する支払いを受け取るステップ（６１０）と、
広告を表示することに対して支払いをした、前記広告主の組からの広告主の部分集合を登録するステップ（６２０）と、
補償を与えるために前記登録された広告主の部分集合に対して前記支払いの一部を割り当てるステップ（６３０）と
を含む方法。
【請求項９】
異種の広告主が登録されるべきかどうかを調査するステップと、
前記異種の広告主を登録するステップと
をさらに含む請求項８に記載の方法。
【請求項１０】
補償を与えるために登録された広告主の部分集合に対して支払いの一部を割り当てる前記ステップは、
登録された広告主の補償アカウントに資金を割り当てるステップと、
未使用の割り当てられた資金の一部を前記登録された広告主の部分集合にアクセス可能な共通の補償アカウントへ転送するステップであって、前記資金を割り当てた後の時間の組において生じる、転送するステップと、
前記共通の補償アカウント又は選択された登録された広告主の補償アカウントのうち少なくとも１つに外部資金を投入するステップと
を含む請求項８に記載の方法。
【請求項１１】
ポリシー又は市場機構のうちの１つに従って前記共通の補償アカウントに資金を割り当てるステップをさらに含む請求項１０に記載の方法。
【請求項１２】
サービス・プラットフォームと取引する際に代理業者の意図と引き換えに前記代理業者の意図に基づく補償についてのステップをさらに含み、前記ステップは、
代理業者を登録するステップと、
オフライン表現の組又はオンライン表現の組のうち少なくとも１つを介して前記登録された代理業者の商業的意図を抽出するステップと、
前記抽出された商業的意図の正当性を評価するステップと、
前記代理業者の正当な商業的意図と引き換えに前記登録された代理業者に補償するステップと
を含む請求項８に記載の方法。
【請求項１３】
代理業者の正当な商業的意図と引き換えに登録された代理業者に補償する前記ステップは、
前記代理業者の商業的意図に少なくとも部分的に基づいて、補償を運ぶ広告を伝えるステップと、
前記広告に応答して前記代理業者の行動を決定するステップと、
前記広告の内容に少なくとも部分的に基づいて、前記代理業者の行動が望ましい行動であることを決定するステップと、
直接の支払い又は報酬トークンのうち少なくとも１つによって前記代理業者に補償するステップと
を含む請求項１２に記載の方法。
【請求項１４】
代理業者の商業的意図に少なくとも部分的に基づいて補償を運ぶ広告を伝える前記ステップは、
前記広告を表示することに対する支払いを受け取るステップと、
代理業者の商業的意図に少なくとも部分的に基づいて前記代理業者に補償するために前記支払いの一部を割り当てるステップと、
前記代理業者の商業的意図に関連した広告を配信するステップと
を含む請求項１３に記載の方法。
【請求項１５】
コンピューターによって実行されると、前記コンピューターに請求項８に記載の方法を実行させるコード命令を格納するコンピューター読み取り可能な媒体。
【発明の詳細な説明】
【技術分野】
【０００１】
[0001]本明細書は、広告に補助金が支払われる（advertisement-subsidized）消費者補償スキームに対するアプリケーションを備えた、賞金（賞品）プログラム（award program）に資金提供及び資金供給する異種の資金源の早期の採用及び保持を推進するシステム及び方法に関連する。
【背景技術】
【０００２】
[0002]従来の顧客−サービス提供者間のインタラクション（相互作用）においては、顧客や代理業者（仲介者、エージェント）は、代理業者のニーズを満たす、関連のある有能なサービスを提供者が提供するであろうという期待に基づいて、サービス又は商品の提供者を選択する。加えて、代理業者が利用可能な選択肢のうちの最大値を求めるため、費用対効果分析は一般に選択処理に寄与する。一旦選択がなされる−サービス提供者が商取引に従事している、又は、製品が商人から買われる−と、代理業者はサービスにアクセスする際又は製品を利用する際に意図（intent）を伝える。提供された意図に応じて、サービス提供者又は製品の適切な選択は、一般に、サービス又は製品の満足度につながる。そのような商業のパラダイムにおいて、サービス提供者及び商人は、通常、ブランド認知度、認識度及びロイヤルティのほかサービス又は製品の差別化のためのキャンペーンをする一方、高品質のサービス及び製品を提供することにより、代理業者の意図を獲得するために争う。
【発明の概要】
【発明が解決しようとする課題】
【０００３】
[0003]ブランド認知度、認識度及びロイヤルティを獲得するための努力の一部として、商人は、通常、リベートに頼る。さらに、新たな製品又はサービスを導入しようとする商人はまた、金銭的な利点（例えば、製品／サービスの試供品、割引、リベート．．．）を提案する販売促進キャンペーンによって見込み客を引き付けることに頼る。しかし、リベート・プログラムの実施は、通常、費用がかかり、多くの場合、リベート又は補償のキャンペーンをうまく実施するのに必要な流動性を持続するのは困難である。
【課題を解決するための手段】
【０００４】
[0004]以下は、特許請求された主題のいくつかの態様の基本的理解を提供するために特許請求された主題の単純化された概要を示す。この概要は特許請求された主題の広範囲な概説ではない。特許請求された主題の主要な又は重大な要素を識別するようにも、また特許請求された主題の範囲を説明するようにも意図されない。唯一の目的は、後に示されるより詳細な説明に対する前置きとして、単純化された形式で特許請求された主題のいくつかの概念を提示することである。
【０００５】
[0005]本発明は、広告収入を通じて補助金が支払われる（subsidized）消費者補償スキームに対するアプリケーションを備えた、賞金プログラムに資金提供及び資金供給する異種の資金源の早期の採用及び保持を推進するシステム及び方法を提供する。広告収入を管理するコンポーネントは、広告主の領域からの登録された広告主に対してリベート・プログラムに補助金を出すために収入の一部を割り当てる。リベート又は補償の資金は、特定の期間について基づいた排他性において、広告主に提供され、その後、資金は共通にアクセス可能なアカウントに転送される。支払われた補償資金及びその時間感度（time sensitivity）の補助金付きの性質（subsidized nature）により、広告の登録及び保持が推進され、消費者が積極的に補償されることを保証する。ある態様においては、補助金が支払われるリベート・プログラムは、サービス・プラットフォームに関与する際の消費者の意図と引き換えにオンライン又はオフラインで消費者に直接的に補償をするように開発することができる。
【０００６】
[0006]以下の記載及び添付された図面は、特許請求された主題のある実例となる態様を詳細に述べる。しかし、これらの態様は、特許請求された主題の原理が使用される様々な方法のうちのほんの少数を示すにすぎず、特許請求された主題は、そのような態様及びそれらの均等物をすべて含むように意図される。図面と共に考慮することにより、特許請求された主題の他の利点及び新規な特徴は、特許請求された主題についての以下の詳細な説明から明らかとなろう。
【図面の簡単な説明】
【０００７】
【図１Ａ】[0007]本明細書に記載される態様による、賞金プログラムに資金提供及び資金供給する異種の資金源の早期の採用及び保持を推進する例示的なシステムの高レベル・ブロック図である。
【図１Ｂ】本明細書に記載される態様による、リベート・プログラムを保持し、登録された広告主に与えられ広告収入を通じて資金提供される補償補助金によって、広告主の採用及び保持を推進する例示的なシステムの高レベル・ブロック図である。
【図２】[0008]本明細書に記載された態様による、広告支出（advertisement spend）管理コンポーネント及び補償コンポーネントの例示的な実施例を示す。
【図３Ａ】[0009]本明細書に記載される態様による、補償資金の分配に関連した様々な機能を提供する割り当てコンポーネントを示す。
【図３Ｂ】本明細書に記載される態様による、補償資金の分配に関連した様々な機能を提供するインテリジェント・コンポーネントを示す。
【図３Ｃ】本明細書に記載される態様による、補償資金の分配に関連した様々な機能を提供するプライバシー・コンポーネントを示す。
【図４】[0010]本明細書に開示された態様による、代理業者の意図と引き換えに広告支出（advertisement spend）によって代理業者に補償する例示的なシステムを示す。
【図５】[0011]本明細書に開示された態様による、広告支出の管理及び広告の配信を容易にする広告管理コンポーネントの例示的な実施例を示す。
【図６】[0012]本明細書に記載された態様による、広告主の早期の採用及び保持を推進する例示的な方法のフローチャートを示す。
【図７】[0013]本明細書に記載された態様による、補償資金を割り当てる例示的な方法のフローチャートである。
【図８】[0014]本明細書に記載された態様による、代理業者の商業的意図と引き換えに代理業者に補償する例示的な方法のフローチャートを示す。
【図９】[0015]本明細書に記載された態様による、サービス・プラットフォームによるトランザクションの際に代理業者の意図と引き換えに広告を通じて代理業者に補償する例示的な方法のフローチャートを示す。
【図１０】[0016]本明細書に記載された様々な態様を実行するコンピューター環境を示す。
【図１１】本明細書に記載された様々な態様を実行するコンピューター環境を示す。
【発明を実施するための形態】
【０００８】
[0017]ここで、特許請求された主題は図面に関して記載され、同様の参照番号は全体にわたって同様の要素を参照するために使用される。以下の記載では、説明の目的のために、多数の特定の詳細が特許請求された主題についての完全な理解を提供するために述べられる。しかし、特許請求された主題がこれらの特定の詳細なしに実行し得ることは明白であろう。他の例では、周知の構造及び装置が、特許請求された主題について記載することを容易にするためにブロック図の形で示される。
【０００９】
[0018]さらに、「又は」なる語は、排他的な「又は」ではなく包括的な「又は」を意味するように意図される。すなわち、他の方法で特定されたり文脈から明瞭であったりしない限り、「ＸはＡ又はＢを使用する」という表現は、自然な包括的な置換のうちの任意のものを意味するように意図される。すなわち、ＸがＡを使用する場合；ＸがＢを使用する場合；又はＸがＡとＢの両方を使用する場合、「ＸはＡ又はＢを使用する」は、上記の例のうちのいずれのもとでも満たされる。加えて、本願及び添付の特許請求の範囲において使用されるような「１つの（a, an）」という冠詞は、他の方法で特定されたり、単数の形式に向けられることが文脈から明瞭であったりしない限り、一般に、「１つ以上」を意味するように解釈されるべきである。
【００１０】
[0019]さらに、「コンポーネント」、「システム」、「モジュール」、「インターフェース」、「プラットフォーム」などの用語は、一般に、コンピューター関連のエンティティ、ハードウェア、ハードウェアとソフトウェアの組み合わせ、ソフトウェア、又は実行中のソフトウェアのいずれかを指すように意図される。例えば、コンポーネントは、プロセッサー上で実行されるプロセス、プロセッサー、オブジェクト、実行ファイル、実行スレッド、プログラム、及び／又はコンピューターであってもよいが、これらに限定されない。例として、制御部上で実行されるアプリケーションと制御部の両方はコンポーネントであってもよい。１つ以上のコンポーネントがプロセス及び／又は実行スレッド内に存在してもよいし、コンポーネントは、１つのコンピューターに局在化されても、及び／又は、２つ以上のコンピューター間で分散されてもよい。
【００１１】
[0020]本明細書において使用されるように、「代理業者」、「ユーザー」、「顧客」、「プレーヤー」、「参加者」などの用語は、一般に、ソフトウェア・アプリケーションを利用し（例えば、コンピューターにより実施されるゲームをプレーしたり、それに参加したり、それを使用したりする；又は、プレゼンテーション準備ソフトウェア、データ解析ソフトウェア、オンライン投資及び関連業務トランザクション、ナビゲーション・ソフトウェアなどのユーティリティ・ソフトウェアを利用する）、コンピューター関連の通信インフラストラクチャー、コンピューター関連のシステム、電子装置、携帯装置、又はそうでなければそれらの任意の組み合わせに対するアクセスを有する、人間の実体（human entity）（例えば、一人の人間又は人々のグループ）を指す。前述の用語は、以後、置き換え可能に使用することができ、しばしは置き換え可能に使用される。
【００１２】
[0021]さらに、「サービス」なる語は、ツールバー又はウェブ・ベースの電子メールエンジンもしくは検索エンジンを使用するなどソフトウェアを実行すること；情報（例えば、係属中の特許出願、提案提出、移住手続又はパッケージ配送の状態）を検索すること；商品を購入すること；支払（例えば、住宅ローン、賃貸料、学生ローン、クレジットカード、車、電話、公共料金、延滞料）をすること；オンライン・スクールでクラスをとること；オフライン提供者（例えば、歯科医、医師、弁護士、美容師、機械工）との予約をすること；又はオンラインもしくはオフラインの会議の登録をすることを指してもよい。当業者に知られている他のサービスが本発明の範囲内にあるように、このサービスのリストが、限定的でない例として提供されることが理解されるべきである。
【００１３】
[0022]「インテリジェンス」なる語は２つの意味を持っている：（ｉ）人又はエンティティの履歴又は振る舞いを特徴付ける情報、及び人又はエンティティの、製品もしくはサービス又はそれらの組み合わせに関する商業的及び非商業的な活動の記録を指し、また、（ｉｉ）例えば、システム又はユーザーに関する既存の情報に基づいて、システムの現在もしくは将来の状態又はユーザーの振る舞いに関して結論を下したり結論を引き出したりする、例えば推論する能力を指す。人工知能（ＡＩ）は、特定のコンテキスト又は行動を識別したり、人間が介在することなくシステムの特定の状態又はユーザーの振る舞いの確率分布を生成したりするために使用することができる。人工知能は、高度な数学的アルゴリズム−例えば、決定木、ニューラル・ネットワーク、回帰分析、クラスター分析、遺伝的アルゴリズム及び強化された学習−をシステム又はユーザーにおける利用可能なデータ（情報）の組に適用することに依存する。
【００１４】
[0023]図１Ａを最初に参照すると、賞金プログラムを保持し、登録された資金源への賞金の補助金を通じて資金源の採用及び保持を推進する例示的なシステム１０の高レベルのブロック図が示されており、賞金プログラムは資金源の支出によって資金提供を受ける。例示的なシステム１０において、資金提供プラットフォーム７０における異種の資金源の組７８１−７８Ｒ及び８１１−８１Ｖ（Ｒ、Ｖは正の整数）から受け取られた資金８８１−８８Ｒ＋Ｖで構成された、資金提供８５を管理するコンポーネント１５。利用可能な資金はすべて本明細書において「資金源支出（source spending）」８５と呼ばれる。資金提供管理コンポーネント１５は、資金アカウント２１に資金源支出を格納する。本明細書において「資金」が取引可能な実質的に任意のものを指し、これらのものは代替可能であるか又はほかのものであることは注目されるべきである。資金源支出８５は、代替可能な及び代替不能なもので構成することができる。代替不能なものの引き換えに関連した取引は、割り当てコンポーネント１８によって仲介することができる。例えば、資金源８８１−８８Ｒ＋Ｖは、現金及び他の金融債務（債券、証券など）、クラウド・サーバー中のコンピューター・ベースの記憶装置又は大容量記憶装置、通信帯域幅、オンライン又はオフラインのいずれかの広告のためのスペース、実際の状態（real state）、デジタル及びオフライン製品などから構成されてもよい。
【００１５】
[0024]さらに、割り当てコンポーネント１８は、資金アカウント２１に格納された資金２５の一部を収集し、そのような資金２５の一部を、入会者（登録者、enrollees）７８１−７８Ｒに賞金プログラムの一部として賞金を提供する登録者資金プラットフォーム３５に割り当てる。賞金は、資金提供管理コンポーネント１５にとって利用可能な実質的に任意の種類の資金において提供することができる；例えば、動物保護のためのグループは、資金提供プラットフォーム７０が実際の状態における支出をもって提供する限り、登録者資金プラットフォーム３５を介してネコ科の動物の保護区の実際の状態に賞金を与えることができる。同様に、フード・バンク（food bank）は、登録者資金プラットフォーム３５を介して食料又は食料のクーポンを受けとることができる。一旦資金が登録者資金プラットフォーム３５に転送されると、登録された資金源７８１−７８Ｓは、利用可能な資金を分配するために機構を自立的に決定することができる。例えば、本明細書に記載の態様によって資金提供を与えるために登録されるスーパーコンピューター・センターは、コンピューター時間の間、いかなる希望者も競争原理、先着順、又は平等主義のシステムに基づいて時間を受信することができることを決定することができる。
【００１６】
[0025]ある態様において、資金源の登録は、資金提供管理コンポーネント１５、例えば割り当てコンポーネント１８を介して達成される。登録は、資金源の機密情報（intelligence）を収集し、また、賞金プログラム及び受賞者のほか譲与者や資金源のためになる潜在的な協力を促進するための機会を提供する。
【００１７】
[0026]賞金プログラムを保持し、採用及び保持を誘うために、資金１２５は、登録された資金源７８１−７８Ｓの排他的な利用のためにささげられる賞金を含む専用のアカウント４５に転送される。すべての資金源８８１−８８Ｒ＋Ｓが、登録された資金源８８１−８８Ｓによって実施される賞金プログラムを保持する資金１２５を生成すること；言いかえれば、資金源の組が資金源の全領域からの資金を使用することは注目されるべきである。したがって、補助金が支払われる賞金プログラムは、資金源により採用を容易にし、報酬６５のための補助金にアクセスする利点は、一般に、賞金プログラムの実施に通常必要な投資より重要である。さらに、資金源の全領域が賞金プログラムに資金提供するので、賞金プログラムを確立することを目指す資金源は、したがって、登録されていない資金源により貢献される資金源資金提供８５を介して、（通常、非営利組織に対する評判を上げ、そのプロフィール及び肯定的な変更を達成するためのその能力を高め、又は、営利組織の場合には市場シェアの獲得を容易にし、消費者漸減を軽減するなどする）競合する資金源が賞を提供するシナリオを回避するために資金提供管理コンポーネント１５を介して実施される賞金スキームを採用するように誘われる。したがって、賞を実施するための例示的なシステム１０は以下の利点を少なくとも有する。（ａ）システム１０は新たな資金源の誘引者であり、本質的に広告主の漸減を軽減し、（ｂ）補助金の本質的により高いシェアは登録された広告主にとって利用可能であるので、遅い採用より早期の採用を支持する。
【００１８】
[0027]資金源によって保留されるのではなく、規定しない方法で、報酬６５が受賞者に渡されることを保証するために、排他的なアカウントにおける未使用の補償資金は特定の期間Δτ４６の後に共通アカウント５５に転送される。ある態様において、登録者資金プラットフォーム３５によって確立されたポリシーは期間４６を決定する。ポリシーに従う時間の関数としてそのような期間を調節することができることが認識されるべきである。共通アカウントにおける資金は、実質的にすべての登録された広告主にとってアクセス可能であり、共通アカウント５５における資金の解除機構は、ポリシー又は市場機構に少なくとも部分的に基づくことができる。後者の転送サイクルの利点は、少なくとも、賞を与えないか又は予期される受賞者にとって魅力的でない登録された資金源の未使用の資金が、専用の賞金を使い果たした競合する資金源によって利用される可能性があるので、積極的に賞を出すよう登録された資金源を駆り立てるための手段としてそれが作用するということである。登録される広告主の数が少ないことが実体的な報酬を消費者に与えることを可能にするので、早期の採用者である広告主が共通アカウント５５における補償補助金から利益を得続けることが注目されるべきである。
【００１９】
[0028]ある態様において、転送期間Δτ４６は資金提供管理コンポーネント１５により確立される転送ポリシーによって決定することができることに注目すべきである。特に、期間４６は、資金源の関心及び特定の目的に従って分配することができる。ポリシーは、賞金プログラムにおける資金源の寿命、受賞者間での資金源の評判及び影響に少なくとも部分的に基づくことができる。
【００２０】
[0029]先の補償プログラムが広告主の採用戦略に関して均衡を維持することが認識されるべきである。特に、均衡は早期の採用者の利益になる。利用可能な賞の大きさがさらなる登録を促進するのに魅力的でなくなるまで、賞金プログラムは、資金源による採用を推進することが注目されるべきである。登録された資金源及び潜在的な補償の質に関して、一旦均衡に達すると、賞金プログラムからの資金源の出口が賞を出すことに利用可能な増加した資金に帰着するので、均衡は保持され、したがって、賞金プログラムは登録されていない資金源にとってますます魅力的なものとなる。一旦新たな資金源が呼び込まれると、一旦新たな均衡に到達すれば、登録のフローは終わる。
【００２１】
[0030]さらに、資金提供管理コンポーネント１５は、資金提供に専念される資金源支出８５をＰ％を増加させることにより、補助金が支払われる賞金プログラムの均衡条件に影響を及ぼすことができ、又は、特定の時間に特定の目的のために外部資金を投入することができる。外部資金の投入は、そのような品質の資金源の資金提供アカウントにおける資金の投入を通じて、賞の優れた質（例えば、より関連のある研究、社会計画、又は装甲車もしくはハイブリッド車などのよりよい製品）によって異種の資金源を支持することにより、品質の劣る資金源を排除するために利用することができる。
【００２２】
[0031]資金提供管理コンポーネント１５及び入会者（登録者）プラットフォーム３５は、営利の活動を追求することができる、又は、非営利組織もしくは慈善組織であり得る、サービス・プラットフォームの一部であってもよいことは認識されるべきである。例えば、基礎研究に資金提供する組織（例えば、全米科学財団、又は国立衛生研究所）は、研究に対する寄付の目標の割り当てを資金提供者が超過するのを容易にするために本明細書に記載の発明を使用することができる。
【００２３】
[0032]順に、図１Ｂは、リベート・プログラムを保持し、登録された広告主に与えられ、広告収入によって資金提供される補償補助金によって広告主の採用及び保持を推進する例示的なシステム１００の高レベルのブロック図を示す。実例となるシステム１００において、サービス・プラットフォーム１１０は、広告エンジン１７０から受信される広告支出１８５を管理するコンポーネント１１５を含み、これは、例えば、Ｓ＋Ｑの広告主１７５Ａ及び１７５Ｂ（Ｓ及びＱは正の整数）の領域を含む。広告支出管理コンポーネント１１５は収入アカウント１２１に広告収入を格納する。広告収入がサービス・プラットフォーム１１０による商取引に従事する広告主の領域の広告支出１８５により生成されることは注目されるべきである。広告支出管理１１５内に存在する割り当てコンポーネント１１８は、収入アカウント１２１に格納された収入の一部、例えば、Ｐパーセント、を集めて、サービス・プラットフォーム１１０の補助金が支払われるリベート・プログラムの一部として補償１６５を与える補償コンポーネント１３５に、収入、又は資金１２５のそのような一部を割り当てる。最初に、資金１２５、例えば広告収入のＰパーセントは、補助金が支払われるリベート・プログラムに登録された広告主１７８１−１７８Ｓの組に排他的にささげられる補償資金を含む補償アカウント１４５に転送される。広告主の全領域、例えば、補償広告主１７５Ａ及び非補償広告主１７５Ｂが、一部の広告収入、資金１２５を生成し、広告主の全領域内の広告主の組のためのリベート・プログラムを保持するよう指示することは注目されるべきである。広告主は広告エンジン１７０の一部であり、ある態様において、広告サービス又はブローカーとしてサービス・プラットフォーム１１０を利用する商人の一部となり得る。別の態様において、広告エンジン１７０は、サービス・プラットフォーム１１０と異種の商人の組との間の広告仲介者になり得る。さらに別の態様において、広告エンジン１７０は、サービス・プラットフォーム１１０の不可欠な部分になり得、またサービス・プラットフォーム１１０により管理され得る。
【００２４】
[0033]補償のための補助金にアクセスすることの利益は、一般に、リベート・プログラムの実施に一般に関連付けられる困難より重要であるので、補助金が支払われる補償プログラムは、リベート・キャンペーンの広告採用を促進する。さらに、広告主の全領域が有効にリベート・プログラムに資金を提供するので、広告主は、非補償の（non-compensation）広告主により寄与される広告支出を通じて非補償の広告主の競合する広告主がリベートを与えるシナリオを回避するため、リベート・プログラムを採用するように誘われる。
【００２５】
[0034]上述のように、規定しないやり方で、広告主によって保留されるのではなく補償１６５が消費者に渡されることを保証するために、排他的なアカウントにおける未使用の補償資金は特定の期間Δτ１４６の後に共通アカウント１５５に転送される。ある態様において、サービス・プラットフォーム１１０によって確立されたポリシーは期間１４６を決定する。ポリシーに従う時間の関数としてそのような期間を調節することができることが認識されるべきである。共通アカウントにおける資金は、実質的にすべての登録された広告主にとってアクセス可能であり、共通アカウント１５５における資金の解除機構は、最高の入札者、需給、未使用の資金に対して発行され登録された広告主間で取引される債券及び証券などの、ポリシー又は市場機構に少なくとも部分的に基づいてもよい。後者の転送サイクルの利点は、少なくとも、リベートを保留する登録された広告主の未使用の資金が専用の補償資金を使い果たした競合する広告主によって利用されるかもしれないので、積極的に消費者に補償するよう登録された広告主を駆り立てるための手段として作用するということである。したがって、積極的な補償は、広告に資金提供するリベート・プログラム内に本質的に保持される。実体的な報酬が消費者に与えられることを少数の登録された広告主が可能にするので、早期の採用者である広告主は共通アカウント１５５における補償補助金から利益を得続けることが注目されるべきである。
【００２６】
[0035]さらに、システム１０と同様に、Δτ１４６は広告支出管理コンポーネント１１５によって確立された転送ポリシーによって決定することができる。特に、期間１４６は、契約された量の広告、補償に刺激された広告プログラムにおける広告の寿命、広告主によってターゲットとされた市場セグメント、消費者の間の広告主の評判などによって定義される広告主セグメントに従って分配することができる。
【００２７】
[0036]先の補償プログラムがシステム１０に関して上述のような同様の均衡特性を維持することは認識されるべきである。そのような均衡の存在が登録についての広告主の戦略を推進することが認識されるべきである。ゲーム理論の視点から、リベート・システムは、不完全な情報を提供し、囚人のジレンマを登録されていない広告に対して体系的に提起する。
【００２８】
[0037]図２は、広告支出管理コンポーネント１１５及び補償コンポーネント１３５の例示的な実施例２００を示す。実施例２００において、広告支出管理コンポーネント１１５は割り当てコンポーネント１１８及び収入アカウント１２１を含む。さらに、登録コンポーネント２１５は、補助金が支払われる補償プログラムに参加するように広告主を登録する。広告主の情報はプライバシー・コンポーネント２３８によって実行されるプライバシー規則によって収集され、登録の間、収集された情報は広告主機密情報（advertiser intelligence）２０５として格納される。加えて、補償、転送サイクル期間１４６、及び広告主の間の決定された力学に到達するために外部資金が投入されるべき規模及び時間について指示するために、広告収入の資金１２５のレベルを推論するため、割り当てコンポーネントは、インテリジェント・コンポーネント２２５及び広告主機密情報２０５に依存することができる。そのような力学は、サービス・プラットフォーム１１０、特定の広告主又は特定の消費者セグメントについてのユーティリティの最適化に基づくことができ、；特定の製品を販売促進したり；採用を促進したりする。さらに、インテリジェント・コンポーネント２２５は、先のものの達成を容易にするためにメモリー２３５に格納された補足のデータを利用することができる。補足のデータは、広告主の振る舞いについての実験及びシミュレーションからのデータを含んでもよい。さらに、補足のデータは、インテリジェント・コンポーネント２２５によって生成されるデータを含んでもよい。
【００２９】
[0038]実施例２００において、補償コンポーネント１３５は、補償アカウント１４５及び共通アカウント１５５を含む；資金は、上述のように転送サイクルの前者から後者まで転送することができる。特定の補償は補償記憶部２４５に格納することができる。コンポーネント１３５によって利用可能になった補償１６５は、通常、金銭的価値を有しており、；したがって、補償が十分に与えられ、説明され、記録されることが保証され、補償コンポーネント１３５は、会計コンポーネント２６５、不正禁止（antifraud）コンポーネント２７５及び記録記憶部２５５を含む。
【００３０】
[0039]補償記憶部２４５は利用可能な補償及び報酬（賞金）用のコンテナ（container）としてある態様において動作する。補償がオンラインで配信されるために、代理業者４１０に補償するために利用されるデジタル・コンテンツは、補償記憶部２４５に格納することができる。オフラインで配信され又は与えられるべき補償については、デジタルトークン（例えば、クッキー・ファイル、暗号鍵、．．．）はメモリー２４５に格納することができる。補償記憶部の利点は、その多くが競合者であり得る異種の広告主からのコンテンツが同じコンテナ上に格納され、したがって、補償の分配を集中させることができることである。
【００３１】
[0040]会計コンポーネント２６５は、支払を計上し、記録記憶部２５５に補償記録を保存し、補償の現在のレベルを監視して、例えば、補償を支給する広告主により確立される補償限界を補償が越えないことを保証することができる。ある態様において、広告主によって支給される補償がポイント（例えば、包括的なポイント、報酬ポイント又はプラットフォーム固有のポイントライム（points lime）であるマイクロソフト（登録商標）ポイント）である場合、会計コンポーネント２６５は、その計上を行うことができる。加えて、補償イベントは会計コンポーネント２６５により記録することができる。一般に、補償記録は、配信された補償の種類及び量を含んでもよく、代理業者１１０に関する利用可能な機密情報を増大することができる。配信された補償の記録を保持することにより、不正に与えられた補償から発生し得る紛争を解決することが容易になる。紛争において、サービス・プラットフォーム１１０は、その信憑性を確認するために報酬トランザクションの監査を開始することができる。
【００３２】
[0041]不正禁止コンポーネント２７５は、補償の不正な利用を軽減し、補償記録の完全性を維持するセキュリティ機能を管理する。不正禁止コンポーネントは、広告主機密情報２０５、メモリー２３５に格納されたデータ、インテリジェント・コンポーネント２２５などの様々なリソースを利用することができる。さらに、不正禁止コンポーネント２７５は、意図した顧客が意図した補償を実際に受け取ったことを保証するために、バイオメトリックに基づいた確認を容易にすることができる、オンライン及びオフラインの補償におけるバイオメトリック・マーカー（例えば、音声シグネチャー、傷跡、ほくろ、染み、目の色及び光彩構造の認識のような顔特徴認識など）の検出を実施することができる。不正禁止コンポーネント２７５は、バイオメトリック特徴をプローブすることに関連する実質的にすべての機能（例えば、バイオ特徴認識のためのカメラ、指紋パッド、光彩スキャナー．．．）、オンライン補償を暗号化／暗号解読することに関連する実質的にすべての機能などを提供することができるが、他のシステム・コンポーネントにとって利用可能な資源の使用もまた利用することができる。ある態様において、不正禁止コンポーネント２７５は、例えばインテリジェント・コンポーネント２２５を介して恐らく不正であると決定される登録された広告主（例えば、広告主１７８Ｓ）との反復する約束（engagements）に対する配信された補償の額面価格（face-value）を体系的に縮小することにより、不正な補償を軽減することができる。補償値用の特徴的な軽減時間は、例えば、リベートにつながる登録された広告主との実質的に任意の取引の不正な性質についての信頼性の程度により、登録された広告主と協力して不正禁止コンポーネントによって決定することができる。
【００３３】
[0042]図３Ａは、補償コンポーネントに広告収入の一部を分配し、資金をそこに投入する例示的な割り当てコンポーネントのブロック図３００である。実施例３００において、割り当てコンポーネント１１８は、さらに、外部資金３０６の投入により、補償により奨励された広告の採用及び保持を促進し、これは広告収入から発生する必要はなく、さらに、特定の市場セグメントの補償、懸賞又は抽選のコンテストの実施、最高位の補償の配信、代替的な媒体における又は従来のものではない技術（例えば、ホログラフィー、バイオ投入された装置など）を介した広告などの、広告主（例えば、広告主１７８２）の特定の商業的努力又は使用に補助金を交付する。加えて、割り当てコンポーネント１１８は、共通にアクセス可能な補償アカウント、例えば共通アカウント１５５に対して排他的又は専用の広告主の補償アカウント内の資金を転送する収集コンポーネント３０８を含む。上述のように、転送は、広告支出管理コンポーネント１１５によって確立された財政ポリシー（例えば、メモリー２３５に格納することができる）により指示された特定の時に起こる。
【００３４】
[0043]図３Ｂは、広告支出管理コンポーネント１１５に利用可能な代理業者、広告主機密情報（例えば、記憶装置２０５中の広告主の情報）及び補足のデータ２３５についての利用可能な情報に少なくとも部分的に基づいてサービス・プラットフォーム（例えば、サービス・プラットフォーム１１０）を手配するか利用するための、代理業者の意図に関する結論を論じたり引き出したりすることができる、インテリジェント・コンポーネント２２５の例示的な実施例３２０を示す。インテリジェント・コンポーネント２２５は、人間が介在することなしにサービス・プラットフォーム１２０とのトランザクションに従事する際に代理業者の意図の特定の状態の確率分布を生成することができる。補償資金提供１２５及び外部的に投入される資金提供を推論するために、インテリジェント・コンポーネント２２５は人工知能技術に依存し、それは、高度な数学的なアルゴリズム−例えば、決定木、ニューラル・ネットワーク、回帰分析、特徴及びパターン抽出のための主コンポーネント分析（ＰＣＡ）、クラスター分析、遺伝的アルゴリズム及び強化された学習−を、広告主１７５Ａ及び１７５Ｂに関連した、（プライバシー・コンポーネント２３８によって決定することができるような）利用可能な情報の組に適用する。
【００３５】
[0044]特に、インテリジェント・コンポーネント２２５は、データから学習し、そのように構築されたモデル、例えば、隠れマルコフモデル（ＨＭＭ）及び関連する原型の依存性モデル、デンプスター＝シェーファー・ネットワーク及び例えばベイズモデルのスコアもしくは近似を使用する構造探索により作成されるベイジアンネットワークなどのより一般的な確率的グラフィカル・モデル、サポートベクトルマシン（ＳＶＭ）などの線形分類器、「ニューラル・ネットワーク」方法論と呼ばれる方法などの非線形分類器、ファジー理論方法論、並びに、本明細書に記載された様々な自動化された態様の実施によってデータ融合を行う他の手法などから推論を取り出すための多数の方法論のうちの１つを使用することができる。
【００３６】
[0045]分析コンポーネント３２４は、例えば、補償へと導かれるべき広告収入の適切な一部を推論するために上述のアルゴリズムの少なくとも一部を実行することができる。データ・マイナー（data miner）３２８は、データ区分化、広告主の振る舞いのシミュレーションのためのモデル開発及び関連するモデル評価を通じて情報（例えば、広告主機密情報２０５）の分析をさらにサポートすることができる。広告主の振る舞い、補償補助金の大きさ及び投入された外部資金などについてのモンテカルロ・シミュレーション、ゲーム理論モデル（ゲーム木、ゲーム行列、純粋な及び混合された戦略、ユーティリティ・アルゴリズム、ナッシュ均衡、進化ゲーム理論など）のような、追加のアルゴリズム及び計算資源が分析コンポーネント３２４に存在し得ることが注目されるべきである。データ・マイナー６０８は、データ区分化、代理業者の動作シミュレーションのためのモデル開発及び関連するモデル評価（例えば、離散及び連続変数についてのリフト・チャートの生成）によって情報の分析をさらにサポートすることができる。トレーニング・コンポーネント３２２は利用可能な市場及び様々な機械学習手法のための広告主のデータ又は機密情報を利用する。利用可能な情報が増加するにつれて、トレーニングは、インテリジェンス・コンポーネント２２５及びそれを利用するコンポーネントの改善された性能に帰着する。
【００３７】
[0046]代理業者の意図が補償１６５とそろっているかどうか判断するためにインテリジェント・コンポーネントによって経験的アプローチを利用することができることは認識されるべきである。経験的アプローチは、補償及び意図の妥当性の間の関連性が補正された代理業者についての測定される応答に基づいて決定されるという点で一般的に「帰納的な」方法である。その後、そのような情報は、来るべき代理業者に補償するために利用することができる。経験的アプローチは、通常、プライバシー設定又はプロフィールが厳格で、消費者に関する最小限の機密情報を消費者から直接聞き出すことができるシナリオにとって適切である。さらに、経験的アプローチは、一般に、単純であり、本質的に実施しきい値が低い。
【００３８】
[0047]サービス・プラットフォームのレベル又は広告エンジンのレベルにおいて意図を適切な補償に関連付けるためのアプローチを実施することができることは注目されるべきである。後者の場合、広告主１７５Ａは、通常、補償の意図のある関連性及び分配のための基準（metrics）及びポリシーを決定する。ある態様において、そのようなポリシーは、サービス・プラットフォーム１１０によって確立された補償計画、例えば、目的、ポリシー、コンテンツ、聴衆を忠実に守ることができる。
【００３９】
[0048]図３Ｃは、登録コンポーネント２１５によってもたらされる登録手続を規制するために利用することができるプライバシー・コンポーネント２３８の例示的な実施例３４０を示す。プライバシー・コンポーネント２３８は、プライバシー・プロフィール３４４を確立することを容易にするプライバシー・エディター３４２を含んでもよい。プライバシー・エディター３４２は、収集することができる情報に関してプライバシーについての所定のレベルを広告主（例えば広告主１７８Ｓ）が選択することを容易にするためにグラフィカル・ユーザー・インターフェース（図示せず）を利用することができる。サービス・プラットフォーム４３０によって維持されたウェブ・ページを通じてプライバシー・エディター３４２を提供することができることが認識されるべきである。プライバシー・エディター３４２が、広告主が望むのと同じくらいしばしば非同期にアクセスすることができることが認識されるべきである。プライバシー・プロフィール３４４は、さらにプライバシー保全を保証するために暗号化することができる。プライバシー・コンポーネント２３８もまた、広告主と関係する収集された情報の記録がどのように広告主機密情報記憶部２０５内に格納されるかを管理する。
【００４０】
[0049]図４は、本明細書に開示された態様による、代理業者の意図と引き換えに広告支出を介して代理業者に補償する例示的なシステム４００を示す。例示的なシステム４００では、代理業者４１０は商業的な意図４１５をサービス・プラットフォーム４３０に伝え、それは今度は伝えられた代理業者の意図４１５について、補償１６５によって、代理業者４１０に補償する。単一の代理業者４１０が示されるが、複数の顧客が代理業者４１０に含まれてもよいことが認識されるべきである。さらに、代理業者の意図４１５の商業的な性質は、意図４１５がサービス・プラットフォーム４３０にアクセスする根本的な目的（例えば、製品の購入、サービス又は製品を選択すること又は加入すること、ソフトウェア・アプリケーションを利用すること、特化された助言を要求すること／アクセスすることなど）を明らかにし、そこからサービスを受信するための手掛かりを構成する事実にあることが認識されるべきである。。代理業者４１０は、サービス・プラットフォーム４３０が代理業者のニーズに関連するかもしれないという期待に基づいて意図４１５を示す。そのような補償を達成することによって、サービス・プラットフォーム４３０は、顧客を支持して金銭的格差、例えば、ユーザー価格誘因（price incentive）を作成し、競争者からそれ自体を区別することができる。そのような区別は、ブランド認知度、サービス／製品需要、早期採用者の約束、業務提携の形成の可能性など、異なるレベルにおいて生じる場合がある。
【００４１】
[0050]サービス・プラットフォーム４３０は、特定の産業にも特定のサービスにも限定されない。さらに、産業又はサービスは、（例えば、インターネットを介した）オンラインで消費される限定されたサービスでも、（例えば、サービスへのアクセスがインターネットへのアクセスに依存しない）オフラインの限定されたサービスでもない。サービス・プラットフォームを通って得られるサービス又は製品の望ましい特徴は、サービスが主として規則的に（例えば、一日単位で）アクセスされることである。サービス・プラットフォーム４３０によって提供される代理業者の意図４１５及びサービス、又は配信される商品は、通常、相互に依存している。オンライン・サービス・プラットフォーム。−  ある態様において、サービス・プラットフォーム１２０はオンライン検索エンジンであってもよく、検索クエリーは検索結果のリストを受信する際に代理業者の意図を具体化する。さらに、顧客の意図１１５は、提供者又は特定の商品もしくはサービスを捜すことと関連してもよく、複数の提供者が、顧客とサービス又は製品の提供者との間に生じる商取引を容易にする、有益なフォーラム／知識における顧客に提示されるために、（例えば、報酬／動機付けの提供により）そのような意図についての知識を得るために競争してもよい。別の態様において、サービス・プラットフォーム１２０は技術雑誌のオンライン・ポータルであってもよく、特定の記事を検索しようとする代理業者は当該記事に対する引用（例えば、意図４１５）を提供し、出版者はユーザーに記事を提示又は配信することにより応答する。別の態様において、サービス・プラットフォーム４３０はオンライン・ソフトウェア・アプリケーション・サービスであってもよく、代理業者のためにカスタマイズされたインターフェースはサービス手数料に対して特定のソフトウェア・アプリケーション（例えば、給料及び給付金アプリケーション；業務開発及びプログラム管理アプリケーション、シミュレーション・アプリケーション；オンライン・ゲームアプリケーションなど）の機能を提供する。さらに別の実施例において、サービス・プラットフォーム４３０はソーシャル・ネットワーキング・ウェブサイトであってもよく、サービス・プラットフォームは、（ｉ）ウェブ・ページの配置及び保守サービスを介した顧客の表現、及び（ｉｉ）異種の顧客の間のインタラクションを容易にする。様々な追加のオンライン・サービスを考慮し得ることが認識されるべきである。
【００４２】
[0051]オフライン・サービス・プラットフォーム。―  オフラインで動作する実質的に任意の商人又はサービス提供者、例えば、車及びオートバイのディーラー、デパート、コーヒーショップ、酒類小売店、書店なども、本明細書に記載された意図された補償のパラダイムを採用することができる。
【００４３】
[0052]代理業者４１０は様々な装置４１２１−４１２Ｎを利用することができ、それらは有線又は無線であってもよく（例えば、携帯電話、ラップトップ、拘束されたコンピューター、乗り物のナビゲーション装置、ゲーム機又は携帯情報端末）、意図４１５を伝えるためのインタラクティブに又はその他の方法でアクセスすることができる表示領域を備える。少なくとも開示された情報に基づいて、伝えられた代理業者の意図４１５は少なくとも２つの大項目に分類することができる：（ａ）意図の明示的な表現及び（ｂ）意図の暗黙の表現。意図を伝え且つ例示的なシステム４００に確立された意図された補償の商業的スキームに参加するために、代理業者は登録コンポーネント４４５を介してシステム・プラットフォーム４３０に登録し、それは登録手続中に代理業者の機密情報を収集する。加えて、代理業者はまた、装置４１２１−４１２Ｎの組を登録する。装置４１２１−４１２Ｎの登録は、広告、補償の機会、意図された補償の商業的モデルに参加するサービス・プラットフォーム４３０に加入した商人などに関連した補償及びカスタマイズされた情報の配信を容易にする。サービス・プラットフォーム４３０の意図された補償の価格誘因モデルに参加することに関するユーザーのための給付金に加えて、登録の時に代理業者の機密情報を収集することができ、例えば、ターゲットとされた販売運動のためにサービス・プラットフォーム４３０によって利用することができるので、サービス・プラットフォーム４３０への登録はまた有利である。
【００４４】
[0053]サービス・プラットフォーム４３０はまた、様々な機器又は機構（例えば、ポータル、ポップアップ・ウィンドウ、クエリー、命令文（ステートメント、statement）、発話、推論、外的証拠、履歴データ、機械学習システム、ウェッブカメラ、電荷結合素子（ＣＣＤ）カメラ、マイクロホン、特徴摘出システムなど）を介して代理業者の意図４１５を得る意図処理コンポーネント４３５を含む。意図処理コンポーネント４３５は、代理業者の意図１１５の信憑性を評価し、それに関連付けられる信頼基準（confidence metrics）を生成することができる。そのような信頼基準は、補償１６５の割り当てに関して分解することができる。従来のクーポン配付及びリベートスキームと異なり、意図処理コンポーネント４３５は、（例えば、インターネット又は無線通信を介して−例えば、検索エンジン及び携帯電話は本明細書に記載された様々な実施例を展開するのに適切なプラットフォームの例である）顧客の意図を動的に決定又は推論し、決定された意図を利用して、広告主を代理業者、及び、代替的に又は付加的に、ユーザー又はサービス提供者へのユーティリティを最大化することに関連してサービス・プラットフォーム４３０と提携している適切なサービス提供者（図示せず）と結びつけることを容易にすることが認識されるべきである。加えて、意図処理コンポーネント４３５は、代理業者（例えば、代理業者４１０）によって従来しばしば無料で提供された意図情報の依頼（当該依頼は、無線、有線、又はハイブリッド通信リンク４１８を介して生じ得る）を通じて交渉力を代理業者４１０に提供する。その結果、代理業者は、それぞれの意図情報の値の利用によって、購買力又は富を増やすことができる。さらに、フィルタリング処理が達成され、動機のないサービス提供者もしくは商人、又はそれぞれの広告主が代理業者に紹介されず、それによってスパムのような勧誘を軽減する。意図処理コンポーネントの実施例は以下に議論される。
【００４５】
[0054]実例となるシステム４００において、意図処理コンポーネント４３５は代理業者４１０から意図４１５を受信する。意図４１５は、サービス・プラットフォーム４３０（例えば、商人、サービス提供者、又はコンテンツ提供者）を必要とする際に商業的意図に関連する代理業者４１０から受信される情報から収集することができる。情報は、通常、通信リンク４１８を介して意図処理コンポーネント４３５によって受信される。上に示されるように、通信リンク４１８は、有線（例えば、Ｔｌ電話線のようなＴ−キャリア、Ｅｌ電話線のようなＥ−キャリア、Ｔｌ／Ｅｌキャリア、Ｔｌ／Ｅｌ／Ｊｌキャリア、ツイストペア・リンク、光ファイバーなど）、無線（例えば、スーパー・モバイル・ブロードバンド（ＵＭＢ）、ロング・ターム・エボリューション（ＬＴＥ）、ワイヤレス・フィデリティー（Ｗｉ−Ｆｉ）、マイクロ波アクセス用のワイヤレス相互運用性（ＷｉＭＡＸ）など）又はそれらの任意の組み合わせなど、実質的に任意の種類の通信リンクであってもよい。また、情報は、例えば、代理業者４１０によって伝えられる、内在的なものでも、又は外来性のものでもよく、意図処理コンポーネント４３５は、サービス・プラットフォーム（例えば、サービス・プラットフォーム４３０）に関して代理業者４１０の行動に関連した情報を収集する。情報を収集するために、意図処理コンポーネント４３５は、ウェブカメラ、赤外線可視カメラ、特定の放射周波数に対して敏感なＣＣＤカメラ、マイクロホン、バイオメトリック・パッド、生理学的センサー、測位システム（例えば、グローバル・ポジショニング・システム（ＧＰＳ）、ガリレオ、ＧＬＯＮＡＳＳ）などの様々な機器及び装置、及び、集められた情報を通信することができる関連する有線及び無線のトランシーバーを利用することができる。
【００４６】
[0055]代理業者の行動のプライバシー保全を保証するために、プライバシー・コンポーネント２３８は、収集することができる情報を代理業者の意図に規制する。代理業者４１０は、広告主に関連して上述したものと実質的に同一の方法で、プライバシー・プロフィール、又はプライバシー設定を確立することができる。プライバシー・コンポーネント２３８はまた、代理業者の行動の記録が、代理業者の機密情報記憶部（図示せず）又はサービス・プラットフォーム４３０にとって利用可能な実質的に任意のメモリー内にどのように格納されるかを管理する。
【００４７】
[0056]プライバシー規則、又はポリシーに適合する収集された情報は、例えばインテリジェント・コンポーネント２２５を介して代理業者の意図４１５を推論するために意図処理コンポーネント４３５によって利用することができる。情報の分析及び特徴又はパターン検索（mining）は、代理業者の意図を抽出するためにインテリジェント・コンポーネント２２５によって実施することができる。
【００４８】
[0057]ある態様において、補償１６５は広告を介して提供することができる；例えば、広告支出１８５に起因する広告収入によって支払われ、広告エンジン１７０によって生成される広告コンテンツ１９５を介して提示される。また、他の資金源は類似の資金源Ｒ８８Ｒから受信することができ、それは、広告エンジン１７０における広告主の顧客の特定のセグメントに対して、関心のある異種の取引可能な資金を与えることができる。直接の支払い又は報酬ポイントの割り当てを通じた代理業者（例えば、代理業者４１０）の補償は、代理業者に属している補償アカウント４２０に（通信リンク４１８を介して）配信することができる。サービス・プラットフォーム４３０は、（明示的な意図表現を通じて）知られ、又は確立される（例えば、暗黙の表現から抽出される）、代理業者の意図４１５を利用して、顧客の意図と引き換えに補償を運ぶ広告インプレッション（advertisement impressions）を生成する、広告管理コンポーネント４５５を含む。補償は、複数の方法の広告、又は補償のロックを解除し、補償を獲得し、及び／又は補償を分配するための広告モデルもしくは機構によってアクセスすることができる：（１）広告露出。このシナリオでは、広告インプレッションは直接的な補償の形式でユーザーに伝えられ、広告は、補償を分配するための「導管（conduit）」である。（２）広告インスタンス化。補償は、例えば、オンライン又は電話の調査に答えるなどして広告中の命令に従うことによって、；オンラインのウェブページ又はオフラインのショールームを訪れたり、映画の予告編や映画のサウンドトラックの一部を見ることなど、広告インプレッションをインスタンス化することにより受信される。インスタンス化が広告主もサービス・プラットフォームもなしに商取引を必要としないことが認識されるべきである。（３）広告により推進される行動。補償は、意図を伝える代理業者と広告主との間の特定の商取引の結果である。意図によって推進される広告が本質的にターゲットとされ、したがって、広告主又はサービス・プラットフォームとの取引に代理業者が従事する可能性は本質的に高いことは認識されるべきである。代理業者が行動を起こす可能性は、提供される補償のレベルによってバイアスをかけることができる；すなわち、広告管理コンポーネント４５５は、意図４１５を伝える代理業者に関連付けられる上記の既知の又は推論される約束のしきい値である補償を提案する広告を提示することができる。補償のロックを解除するためのこのモデルが代理業者からの行動を要するので、制定される商取引の種類に関して代理業者（例えば、代理業者４１０）の機密情報を収集するための機会を提供することは注目されるべきである；すなわち、機密情報は、代理業者が最初に明示的に又は暗黙に意図４１５を伝えてから広告によって促進される行動が取られるまでの経過時間を含んでもよく、後者は広告主の性能の評価基準になり得、ある態様においては、広告管理コンポーネント４５５、広告により促進される行動の広告に対する代理業者の様々な応答などによって測定又は処理することができる。ある態様において、補償にアクセスするためのこのモードは（１）又は（２）を補足することができる。
【００４９】
[0058]補償ロック解除モデル（ｌ）―（３）がサービス・プラットフォーム４３０及び広告エンジン１７０における広告主に関して異種の利点を有することができることが認識されるべきである。広告露出解除機構に関して、そのようなモデルは、本質的にサービス・プラットフォーム４３０の代理業者４１０の利用を増加させ得る；したがって、そのようなモデルはサービス・プラットフォームにとって有利であり、サービス・プラットフォームの動作に関連したトラフィック目標及び他のユーティリィティを満たすことを容易にすることができる。インスタンス化が代理業者からの適度な活動を要求するので、ロック解除モデル（２）はサービス・プラットフォームと広告主との間で共有される利点を提供するが、補償を生じる広告主により成立されるべき商取引を必要とせず、サービス・プラットフォームの利用は増加し、広告主への露出は同様にインクリメントされる。ロック解除モデル（３）、広告によって促進される行動、は、代理業者と広告主との間の実際の典型的に金銭的な取引の際に補償１６５がロックを解除されるので、広告主にとって有利である。
【００５０】
[0059]上述のように、顧客の意図（例えば、意図４１５）と引き換えに顧客（例えば、代理業者４１０）に補償（例えば、補償１６５）を提供するために、サービス・プラットフォーム４３０は、広告管理コンポーネント４５５を介して、広告収入から生じる資金１２５を補償コンポーネント１３５へ導くことができる。補償に向けられる資金１２５の量は、通常、（ａ）補償へと向けられた広告収入及び外部資金；（ｂ）広告キャンペーンのための広告支出１８５；及び（ｃ）広告サイクル（例えば、１週間、１か月間、３ヶ月間．．．）にわたるサービス・プラットフォーム１２０による広告エンジン１８０に対する広告に対して与えられる信用、に関してゼロサムのシナリオを保証する財務的なゲーム理論のモデルに従って決定される。（ｃ）は、新興市場における広告キャンペーンに補助金を提供することにより、広告エンジン１８０に「てこ入れをする（prime the pump）」資金として見ることができ；新製品又は新サービスに集中させることができ；又は、新たな広告技術、広告資源及び広告媒体に基づくことができる。さらに、広告の評判はまた、前もっての財政的責務なしに補助金が支払われる補償の商業のモデルに広告主をさらすことを容易にする。後者は早期の採用を容易にすることができる。
【００５１】
[0060]補償分配のための広告モデル又は機器が、サービス・プラットフォーム４３０により受け取られる意図４１５の性質−明示的又は暗示的な表現−、発信元の代理業者などに関する利用可能な機密情報などに少なくとも部分的に基づいて、一旦選択されると、；一貫した行動が顧客（例えば、代理業者４１０）によって取られ、補償コンポーネント１３５は補償１６５を分配する。その目的のため、上述のように、補償コンポーネント１３５は複数のタスクを行い、それらは、会計、不正行為の管理、補償に関連付けられる記録の保持を含む。ある態様において、補償コンポーネント１３５は、補償１６５の額面価格に対する変更の採用のような発行された補償を管理することができる；例えば、特定の行動がオンラインの製品調査に応答したり特定の期間内にオフラインの店のショールームを訪れるような代理業者によってとられる場合、通常、平均より上の販売促進値又は一般に与えられる値を補償１６５に与える。別の態様において、補償コンポーネント１３５は、顧客の漸減を軽減するか又は意図に関連した情報の質を高める（例えば、意図が暗黙の表現ではなく明示的な表現によって伝えられる例を増加させる）ために、サービス・プラットフォーム４３０にとって利用可能な代理業者の機密情報によって特定の補償を決定することができる。さらに別の態様において、補償コンポーネント１３５は、サービス・プラットフォーム４３０に加入し得る異種のオンライン又はオフラインの商人との協力を仲介することができる。
【００５２】
[0061]登録されたモバイル装置（例えば、装置４１２１−４１２Ｎ）の組を介して、補償コンポーネント１３５がオンライン又はオフラインで補償を提供することができることは認識されるべきである。補償を運ぶ広告を伝えるとき、補償を受信することができる装置の登録は、装置の資源の最適化を容易にする。さらに、望ましい行為が代理業者４１０によって着手される時に利用される装置の組は、補償の種類を促進することができる。例えば、代理業者４１０は、Ｚｕｎｅ（登録商標）デジタル・メディア・プレーヤー中の音楽を聞いている間に、代理業者４１０は、ラップトップ・コンピューター（例えば、装置４１２１）において株式を取引する（サービス・プラットフォーム４３０の可能な実施例）ためにオンライン・サービスを利用する―代理業者４１０は、代理業者のラップトップ・コンピューター上で動作するウェブカメラによって収集された情報から集めることができ、意図処理コンポーネント４３５に伝えることができるＺｕｎｅ装置（例えば、装置４１２Ｎ）中の音楽を聞いている−特定の例において代理業者４１０は娯楽会社から株式を購入する。取引、ユーザーに関する利用可能な機密情報、及びユーザーがＺｕｎｅ装置を聞いているという事実に基づいたシステム・プラットフォームは、意図を株式取引システムへと伝えるための補償としてユーザーの電子メールインボックス（及び恐らくは代理業者の携帯電話への通知）に配信されるデジタルの歌に帰着する。以上に記載された実例となるシナリオは、従来のシステムに関して本明細書に開示された意図された補償の価格誘因スキームの中心的な利点を示している：補償は、単にユーザーの機密情報や望ましい行動について確立されるのではなく、相乗的に、コンテキスト及び振る舞いに基づいてカスタマイズすることができる。
【００５３】
[0062]上に示されるように、補償１６５には金銭的価値がある。金銭的価値は（ｉ）直接的に達成されてもよい。例えば、金銭は、代理業者４１０に属する補償アカウント（図１に示されない）に預けられ、又は、例えばクレジットカードにおいて代理業者４１０によって運ばれる債務が特定の量だけ減少される―債務の減少をサービス・プラットフォーム４３０に対して実質的により手頃でより有利にするサービス・プラットフォーム４３０又は提携された貸し主（例えば、サービス提供者）によってそのようなクレジットカードを発行又は管理することができることが認識されるべきである。直接の支払いは、代理業者４１０によって登録されたデビット／クレジットカードに、直接的に、通信４１８を通じて達成される無線送信によって、電子的にすることができ、又はリアル・タイムで達成することができる。代理業者４１０に与えられた直接の支払いの大きさは、補償１６５として、一般に、複数の変数の関数である：登録期間、所得階層、教育レベル、専門的活動、レジャー活動及び人口統計学的要因。そのようなパラメーターに少なくとも部分的に基づいて、補償コンポーネント１３５は、代理業者４１０のための適切な補償を決定することができる。代理業者４１０が、直接の支払いインセンティブが与えられたと代理業者の登録された装置の１つ以上に通知されることができることが認識されるべきである；例えば、オンラインのインタラクションでは、ユーザーは、補償の種類及び大きさについて記述するインスタント・メッセージを受信することができ、又は、オフラインのインタラクションでは、ユーザーは、代理業者の携帯電話、ページャー又は任意の他の登録された装置（例えば、装置４１２１−４１２Ｎ）へのショート・メッセージ・サービス（ＳＭＳ）メッセージを受信することができる。
【００５４】
[0063]金銭的価値はまた、（ｉｉ）報酬ポイント、サービスに特有のポイント、プラットフォームに特有のポイント、仮想金銭もしくはポイント、例えばマイクロソフト（登録商標）ポイント、又はオンラインもしくはオフラインで報酬を要求するのに使用できる実質的に任意の他の額面金額を介するなどして、間接的に達成され得る。また、代理業者４１０は、異なる種類及び範囲の製品又は商品を要求することを容易にする総括的なポイント（又は、補償を実現することに関連付けられる実質的に任意の他のトークン（tokens））により補償することができる。ポイントは、総括的又はその他の方法で、傷みやすくもしくは長続きするものとなり得、第２の代理業者（図示せず）へ移すことができる。ある態様において、サービス・プラットフォーム４３０によって総括的なポイントを動的に管理して、特定の製品又はサービスのキャンペーンを促進するために販売促進の値を採用し、又はポイント持参人（例えば、代理業者４１０のような補償される代理業者）に応じて範囲を変更することができることが認識されるべきである。間接的な金銭補償の代替的な又は追加の形式は、歌；着信音；映画；絵；本；専門又は他の雑誌記事；挨拶状；コンソール・ベース及びオンラインの、シングルプレーヤー又はマルチプレーヤーのゲーム；マイクロソフト・ビジオ（登録商標）ステンシル又はカスタム・フォント・セットのようなソフトウェア・アプリケーション・アドオン；外国語辞書；ロールプレイングゲームに関連する第２の世界のための地図、秘密通路及び謎に対する答えなどのようなデジタル商品を介して達成することができる。
【００５５】
[0064]図５は、広告ベースの意図された補償の消費者インセンティブスキームに従って広告支出の管理及び広告の配信を容易にする広告管理コンポーネント１４５の例示的な実施例を示す。実例となるコンポーネント４５５は、広告エンジン１７０から広告支出１８５を受信し管理する広告支出管理コンポーネント１１５を含む。上述のように、広告支出１８５に起因する収入１２５の一部は、補償アカウント、例えば、広告主補償アカウント１４５及び共通アカウント１５５、に補助金を交付するために導かれる。ある態様において、広告支出管理コンポーネント１１５により管理される補償資金１２５は、サービス・プラットフォーム４３０との取引に従事する際に代理業者の意図と引き換えに代理業者に補償するために利用することができる。広告管理コンポーネント４５５はまた、（ｉ）代理業者へ配信される広告コンテンツを調整し、及び（ｉｉ）代理業者により利用される登録された装置に従って広告フォーマット（format）を最適化する、最適化コンポーネント５１５を含む。特定の装置（例えば、実際の状態の表示を制限された装置、又はナビゲーションシステムなどの制限された音能力を備えた装置）の媒体資源と合致するための広告フォーマットの最適化は、装置にとって利用可能な最も豊富な広告経験を代理業者に提供し、したがって、代理業者が広告に応答する可能性を増加させる。
【００５６】
[0065]最適化コンポーネント５１５を介した広告フォーマットの最適化及び配信は、広告応答解析コンポーネント５２５によって提供される入力に依存し得るものであり、それは、特定の種類の広告が提示されると、代理業者のための応答基準を監視することができる。例えば、広告が単にイメージに基づく場合ではなく提示された広告が年齢に適した音楽又は音の兆候を含む場合に、代理業者が広告により促進される行動（例えば、調査に応答する、ウェブサイトのベータリリースへのリンクをたどる、製品を買う）を達成する可能性がより高くなることを決定することができる。別の例として、映画、テレビ又は音楽のスターが製品又はサービスを推奨する配信された広告に現われる場合に、代理業者が広告のインスタンス化により好意的に応答することを評価することができる。さらに別の例として、通常、チェックアウトにおいて、スーパーマーケットのキャッシャーは、購入された商品に基づいて特定の商人に対する紙のクーポンを発行する一方、あるセグメントの顧客に対して紙のクーポンが異種のセグメント、例えば、早期の採用者に対して有用であるが、クーポンのソフトバージョンは、クーポンの償還の可能性を増加させる場合がある；したがって、本願発明のある態様において、情報収集コンポーネントは、キャッシャーにおいて展開されたカメラ及びマイクロホンの組によって情報を収集することができ、分析コンポーネントは、特定の顧客セグメントにより顧客を識別することができ、その結果、顧客セグメントについて最適化されたクーポンフォーマットが配信される；例えば、クーポンを印刷するための指示はキャッシャーに伝えられ、又は、クーポンは顧客のスマートフォンに無線で伝えられる。補償、関連する広告、適応は、従来の「１つの形式がすべてに適合する」クーポン配布システムに関して少なくとも２つの利点を提供する（ａ）カスタマイズされた伝えられた補償の結果として帰納的な約束の可能性を増加させ、及び（ｂ）クーポンの大きさは、例えば特定の購入された品目などの購入中心の（purchase-centric）基準に基づいて決定されるのではなく、代理業者中心の（agent-centric）やり方で文脈的に調節することができる。
【００５７】
[0066]最適化コンポーネント５１５が広告コンテンツ記憶部５３５における既存のコンテンツをてこ入れする新たな広告コンテンツを自立的に生成することができることは認識されるべきである。新たな広告コンテンツの生成は、広告応答解析コンポーネントによって提供される分析によって促進することができる。ある態様において、デジタル広告コンテンツの生成は、既存のコンテンツのメタデータ適応又はそのようなコンテンツの編集（例えば、サウンドトラック、アイコン、画像などの追加）を利用することができる。別の態様において、最適化コンポーネント５１５によって提供される機能は、手数料ベースで広告主にとって利用可能とすることができ、又は、例えば補助金が支払われる補償プログラムの採用の時間、補助金が支払われる補償プログラムにおける登録、サービス・プラットフォーム４３０との広告主の商業的な関係の期間、広告の契約した量、広告主の市場セグメント（例えば、ぜいたく品、ヘルス・サービス、法的サービス、食品産業、学問的な製品、ブランド広告主）など、様々な要因に基づいて、選択された広告主に提供することができる。
【００５８】
[0067]広告管理コンポーネント４５５はまた、意図された補償の奨励の広告を代理業者４１０に提示する広告表示コンポーネント５４５を含む。広告表示コンポーネント５４５によって伝えられた広告は、代理業者４１０によって登録された、固定のオフラインの地点又は実質的に任意の装置１１２１−１１２Ｎにおいて提供される。表示された広告は、補償フラグ（例えば、５４８Ｋ）又は正確なリベート値（例えば、５４８Ｊ）フラグを示すことができる。広告が提示される代理業者４１０の特定の特徴に割引された値が適合され得ることが認識されるべきである。広告は、広告が提供される装置（例えば、装置１１２Ｎ）にとって利用可能な又は意図された補償の広告のオフラインの表示のための「ドック（dock）」（例えば、アウトドアの電子バナー）にとって利用可能なメディア資源に依存する複数のフォーマット（例えば、画像ベース（例えば、バナー）、テキストベース、音ベース、又はそれらの組み合わせ）で伝えることができる。１つの実施例において、広告表示コンポーネント５４５は、代理業者４１０がもはやサービス・プラットフォーム４３０を利用していなかった後に、広告された補償を代理業者４１０に通知するために使用することができる。そのような実施例では、広告表示コンポーネント５４５は、以前に代理業者１１０に提示された広告を実質的に任意の装置１１２１−１１２Ｎに通信することができる。新たな広告を代理業者４１０に提示することができる繰り返し約束の可能性を増加させることにより、サービス・プラットフォーム４３０によりユーザーのロックイン（lock-in）を増加させるので、そのような実施例は、サービス・プラットフォーム及び広告主に対して価値を加える。
【００５９】
[0068]代理業者４１０が特定の期間中に行動を達成することを可能にする、広告により促進される行動に補償が依存する例においては、不正禁止コンポーネント２７５は、代理業者４１０及び補償に関連した広告主によって要求された行動を識別するために、（例えば、Ｎ−ビット（Ｎは正の整数）のキーを介して）独自にリンクしたトークン・ペアを生成することができる。当該トークン・ペアは、広告により促進される行動が一旦達成されると代理業者４１０を認識することを容易にし、次の補償（例えば、補償１６５）を分配することを容易にする。補償コンポーネントが通信リンク４１８を介して代理業者の識別を伝えることができることが認識されるべきである。通知の記録及び関連するトークン・ペアは、記録記憶部５５５又は代理業者の機密情報メモリー（図示せず）に保持することができる。
【００６０】
[0069]上に提示され説明された例示的なシステム及び関連する態様を考慮すると、開示された主題に従って実施され得る代理業者の意図と引き換えに広告によってソフトウェアに資金を提供するための方法論は、図６−９のフローチャートを参照して一層よく理解することができる。説明の単純化の目的のために、方法論は一連の行為として示され説明されるが、いくつかの行為は本明細書に示され記載されたものとは異なる順序で及び／又は他の行為と同時に生じてもよいので、特許請求された主題が行為の順序によって限定されないことが理解され認識されるべきである。例えば、当業者であれば、方法論が、状態図などの、一連の相互に関連する状態又はイベントとして代替的に表され得ることを理解し認識するであろう。さらに、すべての図示された行為が特許請求された主題に従って方法論を実施するために必要とされなくてもよい。さらに、以降及びこの明細書の全体にわたって開示された方法論がコンピューターにそのような方法論を運び転送することを容易にするための製品に格納されることができることがさらに認識されるべきである。
【００６１】
[0070]図６は、本明細書に開示された態様による、広告主を早期の採用及び保持へと駆り立てる例示的な方法６００を示す。行為６１０において、広告を表示するための支払が受け取られる。その支払は、一般に、製品、ブランド又は支援広告主（advocacy advertisers）であり得る様々な広告主から生じる。ある態様において、オンラインもしくはオフライン又は両方で動作するサービス・プラットフォーム（例えば、サービス・プラットフォーム１１０）は、広告支払を受け取る。広告は、オンライン又はオフラインで表示することができ、サービス・プラットフォームは、広告キャンペーンの性能を向上させるために様々な機能を提供することができる。行為６２０において、広告主は登録される。登録は、通常、サービス・プラットフォーム（例えば、サービス・プラットフォーム１１０）によって管理され、サービス・プラットフォームの顧客への補償のために登録された広告主に補助金を提供することに対して導かれる。補助金は行為６３０において分配され、広告を表示するための支払の一部は補償を供給するために登録されたユーザーに割り当てられる。通常、支払の一部は広告収入から発生し、広告キャンペーンを容易にするサービス・プラットフォームによって提供される補助金である。ある態様において、補償資金の割り当ては登録された広告主の排他的な利用のために補償アカウント（例えば、補償アカウント１４５）に導かれる。ある態様において、登録された広告主は広告に対する様々な応答を通じて補償を供給する。行為６４０において、新たな広告主が登録されるべきかが調査される。ある態様において、サービス提供者（例えば、サービス・プラットフォーム１１０）は、本明細書に記載されるような広告主リベートのために資金の特定の分配を提案する計画又はプログラムを広告することができる；したがって、新たな広告主を登録すべきか否かを調査することは、「ゴールドラッシュ」プランに関して（例えば、ダイレクト・メールを介して）コンタクトされた広告主からの応答を処理することを含む。別の態様において、広告主が登録されるべきか否かを調査することは、「ゴールドラッシュ」を実施するか又はこれに参加するために提携するための、広告主からのサービス提供者の提案に対する応答を評価することを含んでもよい。追加の広告主の登録は、消費者に補償を供給するための登録された広告主に割り当てられる補償のための利用可能な補助金に対する応答となり得る。補助金によって促進される追加の広告主の登録は、広告のための開催地（venue）としてサービス・プラットフォームの早期の採用を保証することができる。補償補助金はまた、広告主の保持を容易にする。
【００６２】
[0071]図７は、本明細書に記載された態様によって補償資金を割り当てる、例示的な方法７００のフローチャートである。行為７１０において、登録された広告主の補償アカウントに資金が割り当てられる。資金は、通常、サービス・プラットフォーム（例えば、サービス・プラットフォーム１１０）によって集められた広告収入の割合の一部である。さらに、当該割合は、消費者に補償するために補助金を受け取る登録された広告主の数に左右される。したがって、早期採用者は、一般に、より少数の登録された広告主を考慮して、より大きなレベルの資金を受け取る。さらに、広告主（「選ばれた人々のためのグループ（group for the elite）」）の領域によって広告収入が決定される点で資金の割り当てが当該「グループ」の振る舞いを推進する一方、補償のための補助金を受け取るために登録する広告主のサブグループ（上記「選ばれた人々」）に補償資金が提供されることが認識されるべきである。行為７２０において、時間｛τ｝の組は資金割り当て（行為７１０）以来経過しており、未使用の補償資金の一部φ＝ｐ／ｑ（ｑは正味の未使用資金でありｐはその一部である；ある態様においてｐはｑと等しくてもよい）は、登録されたユーザーの組に共通する補償アカウント（例えば、共通アカウント１５５）に転送される。ある態様において、時間｛τ｝の組は、広告キャンペーンを実施するサービス・プラットフォームによって確立されたポリシーによって影響され、広告主の約束の力学を規制するために利用することができる。
【００６３】
[0072]行為７３０において、外部資金が共通の補償アカウントに投入される。ある態様において、資金の投入は、補助金が支払われる補償に登録された広告主の振る舞いの特定のパターンを促進するために、システムに対する励起（excitation）として利用することができる；例えば、登録された広告主は、異種のナッシュ均衡を通じて駆り立てられる。また、外部資金は、特定の補償領域（例えば、ぜいたく品、賞金、．．．）を促進しようとする特定の登録された広告主によってマーケティング戦略として利用することができる。例えば、投入された資金は特定のレベルにおいて制限された（capped）補償へと導くことができ、したがって、特定の市場セグメント及び関連する広告主、又は商人もしくはサービス提供者にとってより適切である。別の例として、投入された資金は時間依存であり得る、例えば、資金は、採用を促進するか又は漸減を軽減するために周期的に投入することができる。行為７４０において、外部資金は選択された広告主のアカウントに投入することができる。そのような資金投入は選択された広告主の振る舞いによって促進することができる；例えば、広告主は、システムを詳しく参照し、特定の量の広告を契約し、代替的な広告技術又は媒体を調査するための許可を要求したりする。外部資金の投入に関して、サービス・プラットフォーム又は広告主のいずれか又はその両方が、資金投入のための特定の時間及び投入される資金の特定のレベルを決定するために、様々な機構を利用することができることに注目すべきである。例えば、そのような決定は、（例えば、２２５のようなインテリジェント・コンポーネントにより支援された）人工知能によって自動的に生成された推論によるものかもしれない。
【００６４】
[0073]図８は、代理業者の商業的な意図と引き換えに代理業者に補償する例示的な方法８００を示す。一般に、補償は、サービスを提供するか又は製品を売買するサービス・プラットフォームによって提供される。サービス又は製品はオンライン又はオフラインで配信することができる。同様に、代理業者の意図はオンライン又はオフラインで伝えることができ、暗黙的な又は明示的な表現又は行動から収集することができる。（図２は意図された補償の実現を要約している。）行為８１０において、代理業者及び代理業者に属する装置の組が登録される。通常、登録は、代理業者が商取引を行うことを意図するサービス・プラットフォームによりなされる。行為８２０において、代理業者、又は代理業者の機密情報によって提供される情報が格納される。そのような情報は、特に意図の暗黙の表現の収集を介して代理業者の意図が推論される状況（例えば、映画館で並んで立っている状況、レストランのロビーで待っている状況、スーパーマーケットの店舗の外で駐車している状況など）において、意図の決定を容易にすることができる。行為８３０において、代理業者の商業的意図は、代理業者に関連した収集された情報に少なくとも部分的に基づいて抽出される。行為８４０において、代理業者の商業的意図の正当性の信憑性が確認される。意図が不正であることを確認行為が示す場合、代理業者を登録したサービス・プラットフォームに通知される。一般に、当該情報は、その代理業者に警告を与えて不法な意図に関連したさらなる情報を収集するため、又はサービス・プラットフォームとの将来の約束において代理業者にペナルティーを課すために利用することができる。正当な意図は代理業者の意図に少なくとも部分的に基づいて代理業者の補償をもたらす。行為８７０において、補償の記録が格納される。補償記録はユーザーに関する蓄積された機密情報を増加させたり、失われた補償に関連した会計監査要求を容易にしたりする。
【００６５】
[0074]図９は、サービス・プラットフォームと取引する際に代理業者の意図と引き換えに広告を介して代理業者に補償する例示的な方法のフローチャートを示す。行為９１０において、補償を運ぶ広告（例えば、広告Ｊ４４５Ｊ又は広告Ｋ４４５Ｋ）が伝えられ、補償は代理業者の商業的意図に少なくとも部分的に基づく。ある態様において、補償は広告エンジン（例えば、広告エンジン１８０）によって始められる広告支出を通じて資金提供される。広告エンジンは、代理業者が商業的にインタラクトするサービス・プラットフォームの一部であってもよく、広告エンジンを管理し維持する広告代理店によって管理された広告主の集合体であってもよく、又は、サービス・プラットフォームと提携しているコンテンツ、製品もしくはサービスの提供者の一部であってもよい。広告代理店又は提携した提供者のいずれかが営業活動をオフラインで排他的に又はオンラインで排他的に実行することができることが認識されるべきである。代替的に又はさらに、広告主はオンラインの営業活動に関連してもよい。広告エンジンに関する営業活動の性質にかかわらず、広告管理コンポーネントは広告をオンライン又はオフラインで管理することができる。
【００６６】
[0075]行為９２０において、代理業者の行動は伝えられた広告に応じて決定される。広告は、代理業者に、ある行為が補償を受け取るために必要であること（例えば、広告により促進される行動−補償モデル）を示すことができる。代替的に、補償は、広告露出又は広告インスタンス化を通じて伝えることができる（例えば、代理業者は、広告へのリンクを開き、広告を載せるメッセージを開き、「売り込み（sales pitch）」広告の電話を受ける、．．．）。
【００６７】
[0076]行為９３０において、行動は、補償のための広告モデル（例えば、露出、インスタンス化、行動）によって代理業者が関心を引かれたかどうかを判断するためにチェックされる。代理業者が従って行動しない場合、代理業者を登録したサービス・プラットフォームは行為９４０において通知される。ある態様において、そのような情報を受信することは、広告において提案された行動による代理業者の独占（lock-in）を促進するために広告コンテンツ又は配信を調整又は最適化するサービス・プラットフォームを提供する。行為９５０において、望ましい行為を実行する代理業者は、直接の支払い（例えば、銀行口座、年金口座、大学教育費口座、クレジットカード口座、証券口座、大学／学校／育児授業料口座における預金など）を介して、又は、報酬ポイントもしくはポイント通貨などの報酬トークン、デジタル商品もしくはコンテンツ、オフラインもしくはオンラインの店舗のクーポンなどを介して、補償される。
【００６８】
[0077]本明細書に記載された方法論は、広告主以外の実質的に任意の資金源（例えば、資金源７８１−７８Ｖ及び８１１−８１Ｖ）、及び消費者リベート・プログラム以外の実質的に任意の賞金プログラムに採用することができ、又は適用することができることが認識されるべきである。
【００６９】
[0078]本明細書の様々な態様に対して追加のコンテキストを提供するために、図１０及び図１１並びに以下の説明は、本明細書の様々な態様を実施することができる適切なコンピューター環境１０００及び１１００の簡潔な概説を提供するように意図される。本明細書は１つ以上のコンピューター上で実行し得るコンピューター実行可能命令の一般的なコンテキストにおいて上に述べられてきたが、当業者であれば、他のプログラム・モジュールと組み合わせて、及び／又はハードウェア及びソフトウェアの組み合わせとして本明細書を実施することもできることを認識するであろう。
【００７０】
[0079]一般に、プログラム・モジュールは、特定のタスクを実行するか又は特定の抽象データ型を実施する、ルーチン、プログラム、コンポーネント、データ構造などを含む。さらに、当業者であれば、本発明の方法が、単一のプロセッサー又はマルチプロセッサーのコンピューター・システム、ミニコンピューター、メインフレーム・コンピューターのほか、パソコン、ハンドヘルドの計算装置、マイクロプロセッサーベース又はプログラム可能な家電など、その各々が１つ以上の関連付けられた装置に動作可能に結合されるものを含む、他のコンピューター・システム構成により実施することができることを認識するであろう。
【００７１】
[0080]本明細書の図示された態様はまた、通信ネットワークを介してリンクされる遠隔処理装置によってあるタスクが実行される分散コンピューティング環境において実施されてもよい。分散コンピューティング環境では、プログラム・モジュールはローカルのメモリー記憶装置及び遠隔のメモリー記憶装置のいずれにも配置することができる。
【００７２】
[0081]コンピューターは、通常、様々なコンピューター読み取り可能な媒体を含む。コンピューター読み取り可能な媒体は、コンピューターによってアクセスすることができ、揮発性及び不揮発性の媒体、取り外し可能及び取り外し不能な媒体の両方を含む任意の利用可能な媒体であってもよい。限定ではなく例として、コンピューター読み取り可能な媒体はコンピューター記憶媒体及び通信媒体を含んでもよい。コンピューター記憶媒体は、コンピューター読み取り可能な命令、データ構造、プログラム・モジュール又は他のデータなどの情報の記憶のために任意の方法又は技術において実施される、揮発性及び不揮発性、取り外し可能及び取り外し不能な媒体を含む。コンピューター記憶媒体は、所望の情報を格納するために使用することができ、コンピューターによってアクセスすることができる、ＲＡＭ、ＲＯＭ、ＥＥＰＲＯＭ、フラッシュ・メモリーもしくは他のメモリー技術、ＣＤ−ＲＯＭ、ディジタル・バーサタイル・ディスク（ＤＶＤ）もしくは他の光学ディスク記憶装置、磁気カセット、磁気テープ、磁気ディスク記憶装置もしくは他の磁気記憶装置、又は任意の他の媒体を含むが、これらに限定されない。
【００７３】
[0082]通信媒体は、通常、コンピューター読み取り可能な命令、データ構造、プログラム・モジュール、又は搬送波もしくは他の移送機構などの変調データ信号における他のデータを具体化し、任意の情報配信媒体を含む。「変調データ信号」なる語は、１つ以上の特徴の組を有するか又は当該信号中の情報を符号化するような方法で変更された信号を意味する。限定ではなく例として、通信媒体は、有線ネットワークもしくは直接的な有線接続などの有線媒体、及び、音響、ＲＦ、赤外線及び他の無線媒体などの無線媒体を含む。上記のもののうちの任意のものの組み合わせはまた、コンピューター読み取り可能な媒体の範囲内に含まれるべきである。
【００７４】
[0083]図１０は、本明細書によるコンピューター環境の概略ブロック図を示す。システム１０００は１つ以上のクライアント１００２を含む。クライアント１００２は、ハードウェア及び／又はソフトウェア（例えば、スレッド、プロセス、計算装置）であってもよい。例えば、クライアント１００２は、本明細書の使用によりクッキー及び／又は関連する文脈情報（contextual information）を収容することができる。
【００７５】
[0084]システム１０００はまた、１つ以上のサーバー１００４を含む。サーバー１００４はまた、ハードウェア及び／又はソフトウェア（例えば、スレッド、プロセス、計算装置）であってもよい。例えば、サーバー１００４は、本明細書の使用により変換を行うためにスレッドを収容することができる。クライアント１００２とサーバー１００４との間の１つの可能な通信は、２つ以上の計算機プロセス間で送信されるのに適したデータパケットの形式であってもよい。例えば、データパケットはクッキー及び／又は関連する文脈情報を含んでもよい。システム１０００は、クライアント１００２とサーバー１００４との間の通信を容易にするために使用することができる通信フレームワーク１００６（例えば、インターネットなどのグローバルな通信ネットワーク）を含む。
【００７６】
[0085]通信は、（例えば、光ファイバーを含む）有線及び／又は無線の技術によって容易にすることができる。クライアント１００２は、クライアント１００２にとってローカルな情報（例えば、クッキー又は関連する文脈情報）を格納するために使用することができる、１つ以上のクライアント・データ記憶部１００８に動作可能に接続される。同様に、サーバー１００４は、サーバー１００４にとってローカルな情報を格納するために使用することができる、１つ以上のサーバー・データ記憶部１０１０に動作可能に接続される。
【００７７】
[0086]図１１において、本明細書の様々な態様を実施するための例示的な環境１１００はコンピューター１１０２を含み、コンピューター１１０２は、演算処理装置１１０４、システム・メモリー１１０６及びシステム・バス１１０８を含む。システム・バス１１０８は、演算処理装置１１０４に対して、システム・メモリー１１０６を含むがこれに限定されないシステム・コンポーネントを結合する。演算処理装置１１０４は様々な任意の市販のプロセッサーであってもよい。デュアル・マイクロプロセッサー及び他のマルチプロセッサー・アーキテクチャーもまた演算処理装置１１０４として使用されてもよい。
【００７８】
[0087]システム・バス１１０８は、様々な市販のバス・アーキテクチャーのうちの任意のものを使用して、（メモリー・コントローラーを有していてもいなくてもよい）メモリー・バス、周辺バス及びローカルバスへさらに相互接続し得る、いくつかの種類のバス構造のうち任意のものであってもよい。システム・メモリー１１０６は、読み取り専用メモリー（ＲＯＭ）１１１０及びランダム・アクセス・メモリー（ＲＡＭ）１１１２を含む。基本入出力システム（ＢＩＯＳ）は、ＲＯＭ、ＥＰＲＯＭ、ＥＥＰＲＯＭなどの不揮発性メモリー１１１０に格納され、当該ＢＩＯＳは、スタートアップ中などに、コンピューター１１０２内の要素間で情報を転送するのを支援する基本ルーチンを含む。ＲＡＭ１１１２はまた、データをキャッシュに入れるためのスタティックＲＡＭなどの高速ＲＡＭを含んでもよい。
【００７９】
[0088]コンピューター１１０２は、さらに、内蔵ハードディスクドライブ（ＨＤＤ）１１１４（例えば、ＥＩＤＥ、ＳＡＴＡ）を含み、当該内蔵ハードディスクドライブ１１１４はまた、適切なシャシー（図示せず）、（例えば、取り外し可能なディスク１１１８からの読み出し又はそれへの書き込みのための）磁気フロッピー(登録商標)ディスク・ドライブ（ＦＤＤ）１１１６、及び、（例えば、ＣＤ−ＲＯＭディスク１１２２を読み、又は、 ＤＶＤなどの他の大容量の光学媒体からの読み出しもしくは書き込みのための）光ディスクドライブ１１２０における外部使用のために構成されてもよい。ハードディスクドライブ１１１４、磁気ディスクドライブ１１１６及び光ディスクドライブ１１２０は、ハードディスクドライブ・インターフェース１１２４、磁気ディスクドライブ・インターフェース１１２６及び光ドライブ・インターフェース１１２８によってシステム・バス１１０８にそれぞれ接続することができる。外付けドライブのインターフェース１１２４の実施例は、ユニバーサル・シリアル・バス（ＵＳＢ）及びＩＥＥＥ１３９４インターフェース技術の少なくとも一方又は両方を含む。他の外付けドライブ接続技術は本明細書の考慮の範囲内にある。
【００８０】
[0089]ドライブ及びその関連するコンピューター読み取り可能な媒体は、データ、データ構造、コンピューター実行可能命令などについての不揮発性の記憶装置を提供する。コンピューター１１０２について、ドライブ及び媒体は、適切なデジタル形式での任意のデータの記憶を提供する。上記のコンピューター読み取り可能な媒体の記載は、ＨＤＤ、取り外し可能な磁気ディスク、及びＣＤ又はＤＶＤなどの取り外し可能な光学媒体を指しているが、当業者であれば、ジップ・ドライブ、磁気カセット、フラッシュ・メモリー・カード、カートリッジなどのような、コンピューターによって読み取り可能な他の種類の媒体もまた、例示的な動作環境において使用することができ、さらに、任意のそのような媒体が、本明細書の方法を行うためのコンピューター実行可能な命令を含み得ることを理解すべきである。
【００８１】
[0090]オペレーティング・システム１１３０、１つ以上のアプリケーション・プログラム１１３２、他のプログラム・モジュール１１３４及びプログラム・データ１１３６を含む多くのプログラム・モジュールを、ドライブ及びＲＡＭ１１１２に格納することができる。オペレーティング・システム、アプリケーション、モジュール及び／又はデータのすべて又は一部はまた、ＲＡＭ１１１２にキャッシュすることができる。様々な市販のオペレーティング・システム又はオペレーティング・システムの組み合わせにより本明細書を実施することができることが認識される。
【００８２】
[0091]ユーザーは、１つ以上の有線／無線入力装置、例えば、キーボード１１３８、マウス１１４０などのポインティング装置、を介してコンピューター１１０２へコマンド及び情報を入力することができる。他の入力装置（図示せず）は、マイクロホン、ＩＲリモート・コントロール、ジョイスティック、ゲーム・パッド、スタイラスペン、タッチ・スクリーンなどを含んでもよい。これら及び他の入力装置は、システム・バス１１０８に結合される入力装置インターフェース１１４２を介して演算処理装置１１０４にしばしば接続されるが、パラレルポート、ＩＥＥＥ１３９４シリアルポート、ゲームポート、ＵＳＢポート、ＩＲインターフェースなどの他のインターフェースによって接続することができる。
【００８３】
[0092]モニター１１４４又は他の種類の表示装置もまた、ビデオ・アダプター１１４６などのインターフェースを介してシステム・バス４０８に接続される。モニター４４４に加えて、コンピューターは、通常、スピーカー、プリンターなどの他の周辺出力装置（図示せず）を含む。
【００８４】
[0093]コンピューター１１０２は、リモートコンピューター１１４８などの１つ以上のリモートコンピューターへの有線及び／又は無線通信を介した論理接続を使用して、ネットワーク化された環境において動作してもよい。リモートコンピューター１１４８は、ワークステーション、サーバーコンピューター、ルーター、パソコン、ポータブルコンピューター、マイクロプロセッサーベースの娯楽装置、ピア装置又は他の共通ネットワークノードであってもよく、通常、コンピューター１１０２に関連する記載された要素の多く又はすべてを含むが、簡潔さの目的のために、メモリー／記憶装置１１５０のみが示される。図示された論理接続は、ローカルエリアネットワーク（ＬＡＮ）１１５２及び／又はより大きなネットワーク、例えば、広域ネットワーク（ＷＡＮ）１１５４、への有線／無線接続を含む。そのようなＬＡＮ及びＷＡＮのネットワーキング環境は、オフィス及び会社においてありふれており、イントラネットなどの企業規模のコンピューターネットワークを容易にし、それらのすべては、グローバルな通信ネットワーク、例えば、インターネット、に接続してもよい。
【００８５】
[0094]ＬＡＮネットワーキング環境において使用される場合、コンピューター１１０２は、有線及び／又は無線通信ネットワークインターフェース又はアダプター１１５６を介してローカル・ネットワーク１１５２に接続される。アダプター１１５６は、ＬＡＮ１１５２への有線又は無線通信を容易にすることができ、それはまた、無線アダプター１１５６と通信するためにその上に配置される無線アクセス・ポイントを含んでもよい。
【００８６】
[0100]ＷＡＮネットワーキング環境において使用される場合、コンピューター１１０２はモデム１１５８を含んでもよく、又はＷＡＮ１１５４上の通信サーバーに接続されてもよく、又はインターネットを経由するなどしてＷＡＮ１１５４を介した通信を確立するための他の手段を有してもよい。モデム１１５８は、内蔵であっても外付けであってもよいし、有線装置であっても無線装置であってもよく、シリアルポート・インターフェース１１４２を介してシステム・バス１１０８に接続される。ネットワーク化された環境では、コンピューター１１０２又はその一部に関連して示されるプログラム・モジュールは、遠隔メモリー／記憶装置１１５０に格納することができる。示されたネットワーク接続が例であり、コンピューター間の通信リンクを確立するための他の手段を使用することができることが認識されるであろう。
【００８７】
[0101]コンピューター１１０２は、無線通信において動作可能に配置される任意の無線装置又はエンティティ、例えば、プリンター、スキャナー、デスクトップ及び／又はポータブルコンピューター、携帯情報端末、通信衛星、無線で検出可能なタグに関連する装置又は位置の任意の部分（例えば、キオスク、ニュース・スタンド、洗面所）、並びに電話などと通信するように動作することができる。これは、少なくともＷｉ−Ｆｉ及びＢｌｕｅｔｏｏｔｈ（商標）の無線技術を含む。したがって、通信は、従来のネットワークのように所定の構造又は少なくとも２つの装置の間の単なるアドホック通信であってもよい。
【００８８】
[0102]Ｗｉ−Ｆｉ、すなわちワイヤレス・フィデリティーは、配線なしに、家の長椅子、ホテルの部屋のベッド又は仕事での会議室からインターネットへの接続を可能にする。Ｗｉ−Ｆｉは、そのような装置、例えばコンピューター、が基地局の範囲内のいかなる場所においても、屋内及び屋外でデータを送受信することを可能にする、携帯電話に使用される技術に類似する無線技術である。Ｗｉ−Ｆｉネットワークは、安全で、信頼でき、高速な無線接続を提供するためにＩＥＥＥ８０２．１１（ａ、ｂ、ｇなど）と呼ばれる無線技術を使用する。Ｗｉ−Ｆｉネットワークは、コンピューターを、互いに、インターネットに、及び（ＩＥＥＥ８０２．３又はイーサネット（登録商標）を使用する）有線ネットワークに接続するために使用することができる。Ｗｉ−Ｆｉネットワークは、例えば、無認可の２．４ＧＨｚ及び５ＧＨｚの無線帯域で、１１Ｍｂｐｓ（８０２．１１ａ）又は５４Ｍｂｐｓ（８０２．１１ｂ）のデータ・レートで、又は両方の帯域（デュアルバンド）を含む製品により動作し、したがって、ネットワークは多くのオフィスで使用される基本的な１０ＢａｓｅＴの有線イーサネット(登録商標)・ネットワークと同様の現実世界の性能を提供することができる。
【００８９】
[0103]本明細書に記載された様々な態様又は特徴は、標準的なプログラミング及び／又はエンジニアリング技術を使用して、方法、装置、又は製品として実施されてもよい。本明細書において使用されるような「製品」なる語は、任意のコンピューター読み取り可能な装置、搬送波又は媒体からアクセス可能なコンピュータープログラムを包含するように意図される。例えば、コンピューター読取り可能な媒体は、磁気記憶装置（例えば、ハードディスク、フロッピー(登録商標)ディスク、磁気ストリップ．．．）、光ディスク（例えば、コンパクト・ディスク（ＣＤ）、ディジタル・バーサタイル・ディスク（ＤＶＤ）．．．）、スマート・カード、及びフラッシュ・メモリー装置（例えば、カード、スティック、キードライブ．．．）を含み得るがこれらに限定されない。
【００９０】
[0104]上に記載されたものは特許請求された主題の例を含む。勿論、特許請求された主題について記載する目的のためにコンポーネント又は方法論のすべての考えられる組み合わせについて記載することはできないが、当業者であれば、特許請求された主題の多くのさらなる組み合わせ及び置換が可能であることを認識することができる。したがって、特許請求された主題は、添付された特許請求の範囲の趣旨及び範囲以内にある変更、修正及び変化をすべて包含するように意図される。さらに、「含む」、「有する」、「所有する」などの語が詳細な説明又は特許請求の範囲において使用される限りにおいて、そのような語は、「備える」なる語が請求項における移行語として使用される際に解釈されるときの「備える」なる語と同様にして、包括的であるように意図される。
【図１Ａ】
2011519093.tif 000003
【図１Ｂ】
2011519093.tif 000004
【図２】
2011519093.tif 000005
【図３Ａ】
2011519093.tif 000006
【図３Ｂ】
2011519093.tif 000007
【図３Ｃ】
2011519093.tif 000008
【図４】
2011519093.tif 000009
【図５】
2011519093.tif 000010
【図６】
2011519093.tif 000011
【図７】
2011519093.tif 000012
【図８】
2011519093.tif 000013
【図９】
2011519093.tif 000014
【図１０】
2011519093.tif 000015
【図１１】
2011519093.tif 000016
【国際調査報告】
2011519093.tif 000017
2011519093.tif 000018